(57)【特許請求の範囲】
【請求項１】
容器体口頚部６外周に嵌合させた装着筒７により下端を容器体内へ垂下して固定させるとともに、周壁上部に吸気孔11を穿設してなるシリンダ２と、該シリンダ内に上下動可能に嵌合するピストンに下端を連繋させて上端をシリンダ２上方へ突出させるとともに、上方付勢状態で上下動可能に設けたステム28と、該ステム上端に嵌着固定させたノズル29付き押し下げヘッド30とを備え、上記ステムの上下動により容器体内の液を吸い上げてヘッドのノズル孔より噴出する如く構成してなる液体噴出ポンプに於いて、上記シリンダ外周上部にシール部材３を嵌着固定させてなり、該シール部材３は、上記シリンダ２外周上部より突設したフランジ８の下面に上面を当接してシリンダ外面に嵌合させるとともに、下面周縁部を口頚部６上面に密接させる環状基板20と、該基板内周縁部より垂設してシリンダ２外面に嵌合するとともに、上記吸気孔11を閉塞してなる内筒23と、上記基板下面周縁部より垂設して容器体口頚部６内面に密嵌させる外筒24とを備え、上記吸気孔11上方のシリンダ２外面に複数の縦突条13を周設するとともに、上記環状基板20内面に各縦突条13が嵌合する複数の凹溝26を穿設し、且つ、上記内筒23に下端より上方へ延びる複数のスリット21を穿設し、上記各凹溝26を任意の各縦突条13に嵌合させてシール部材３を装着した際に、一対のスリット21間の中央部に吸気孔11が位置する如く構成したことを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、所謂押し下げヘッド式のポンプが知られている。これらは、例えば、上部外周に二重筒状に突設した装着筒を容器体口頚部外周に嵌合させて装着固定させるとともに、頂板部中央を貫通する案内筒を設けてなるシリンダと、該シリンダ内を摺動するピストンに下端を連携させるとともに、案内筒を介してその上方へ上方付勢状態で上下動可能に上端を突出させたステムと、該ステムの上端に嵌着固定させたノズル付き押し下げヘッドとを備え、上記ステム及び押し下げヘッド等より構成される作動部材を上下動させることにより、シリンダ内の液をステムを介してヘッドのノズル孔より噴出する如く構成している。また、不使用時等に於いて、作動部材を上方付勢力に抗して押し下げた状態で案内筒内面に螺着係止可能に構成している。
【０００３】
【発明が解決しようとする課題】
上記従来のポンプは、装着した容器体内の負圧化を防止するためにシリンダの上部に外気導入用の吸気孔を穿設している。上記ポンプを装着した容器は、作動部材を押し下げ係止した状態で運搬，保管等行われるが、その際、容器が倒れたりすると容器体内の液が吸気孔を介してピストン上方のシリンダ内に侵入し、使用時に作動部材の螺着を解除して作動部材を上昇させると、ステムと係止部材の案内筒との間から液が外部へ漏出するという不都合が生じる。
【０００４】
そこで、本発明では、上記した従来ポンプの欠点を解消して、吸気孔からの液の漏出がなく、その結果、作動部材の係止解除時に於ける容器外への液の漏出を防止出来るとともに、容器体口頚部上端部分の良好な液密性も同時に図れ、また、組み付け操作も容易で、大きな構造上の変化を必要としない優れた液体噴出ポンプを提案するものである。
【０００５】
【課題を解決するための手段】
第１の手段として、容器体口頚部６外周に嵌合させた装着筒７により下端を容器体内へ垂下して固定させるとともに、周壁上部に吸気孔11を穿設してなるシリンダ２と、該シリンダ内に上下動可能に嵌合するピストンに下端を連繋させて上端をシリンダ２上方へ突出させるとともに、上方付勢状態で上下動可能に設けたステム28と、該ステム上端に嵌着固定させたノズル29付き押し下げヘッド30とを備え、上記ステムの上下動により容器体内の液を吸い上げてヘッドのノズル孔より噴出する如く構成してなる液体噴出ポンプに於いて、上記シリンダ外周上部にシール部材３を嵌着固定させてなり、該シール部材３は、上記シリンダ２外周上部より突設したフランジ８の下面に上面を当接してシリンダ外面に嵌合させるとともに、下面周縁部を口頚部６上面に密接させる環状基板20と、該基板内周縁部より垂設してシリンダ２外面に嵌合するとともに、上記吸気孔11を閉塞し、且つ、吸気孔両側位置に下端より上方へ延びる一対のスリット21を穿設してなる内筒23と、上記基板下面周縁部より垂設して容器体口頚部６内面に密嵌させる外筒24とを備えて構成した。
【０００６】
第２の手段として、前記第１の手段に於いて、上記吸気孔11上方のシリンダ２外面に複数の縦突条13を周設するとともに、上記環状基板20内面に各縦突条13が嵌合する複数の凹溝26を穿設し、且つ、上記内筒23に複数のスリット21を穿設し、上記各凹溝26を任意の各縦突条13に嵌合させてシール部材３を装着した際に、一対のスリット21間の中央部に吸気孔11が位置する如く構成した。
【０００７】
【発明の実施の形態】
以下、本発明の実施例の形態を図面を参照して説明する。
【０００８】
本発明のポンプ１は、シリンダ２と、シール部材３と、作動部材４とを備えている。
シリンダは、容器体５の口頚部６外周に嵌合させた装着筒７により下端を容器体内へ垂下させて固定される。
【０００９】
本実施例では、上下端を開口した筒状で、外周上部より外方へフランジ８を突設し、また、内部下端部には玉状弁体を備えた吸い込み弁９を設け、この吸い込み弁９に上端を連通させてパイプ10を嵌着させ、その下端を容器体内へ垂下させている。
【００１０】
また、シリンダ２の周壁上部には装着した容器体５内の負圧化に伴って外気を導入させるための吸気孔11を穿設している。吸気孔11の上方にはシール部材３を係止するための突条12を周設し、その上方にシール部材の適正嵌合位置を定めるための縦突条13を前後左右等間隔に突設している。
【００１１】
装着筒７は、容器体口頚部６外周に螺着等の嵌合手段を介して嵌合させ、シリンダ２下端を容器体内に垂下させた状態で固定させるためのもので、本実施例では、上端縁より内方へ取り付け用のフランジ14を延設して構成しており、該フランジ14をシリンダ２のフランジ８上面に於いて、シリンダ外面に回動可能に嵌合させている。
【００１２】
また、シリンダ２上端に嵌着させた係止部材15により装着筒７の抜け出しを防止する如く構成している。この係止部材15はシリンダ２の外面上端に凹凸係合手段を介して抜け出し不能に嵌合させた嵌合筒16を頂板17裏面より垂設し、この嵌合筒16下面と上記フランジ８上面との間に装着筒７のフランジ14内側縁を抜け出し不能に遊嵌させている。また、頂板17中央部を貫通して垂設した案内筒18の下部外面をシリンダ２内面上部に液密に嵌合させるとともに、シリンダ２内面上端部と対応する案内筒18外面との間に縦突条相互の係合等で構成される回り止め19を設けている。
【００１３】
シール部材３はエラストマー等の柔軟で弾力性に富む材質で形成され、シリンダ２の外周上部に嵌着固定させたもので、上記吸気孔11を開閉可能に閉塞する弁板及びシリンダ２を容器体に装着する際のパッキンの役割を果たすもので、シリンダの上記フランジ８下面に上面を当接してシリンダ２外面に嵌合させ、下面周縁部を容器体口頚部６上面に密接させる環状基板20と、該基板内周縁部より垂設してシリンダ外面に嵌合するとともに、上記吸気孔11を閉塞し、且つ、吸気孔両側に一対のスリット21を穿設してなる内筒23と、上記基板20下面外周縁部より垂設して容器体口頚部６内面に密嵌する外筒24とを備えている。
【００１４】
このシール部材３を装着することにより、容器体内の液が吸気孔11を介してシリンダ２内に侵入するのを防止でき、また、環状基板20と外筒24とで口頚部６上端部の良好な液密性を図る如く構成している。また、外筒24は、その機能上薄板に形成される内筒23の変形防止の役割も兼ねている。
【００１５】
本実施例では、環状基板20の内側端の若干外側位置から内筒23を垂設し、この内筒23の下部をテーパ部25を介して環状基板20の内側面の位置まで縮径し、この縮径部分23a がシリンダ２外面にピッタリ嵌合する如く構成している。また、環状基板20の内側面を縦断し、且つ、シリンダ２の上記各縦突条13と嵌合する凹溝26を前後左右に凹設している。更に、内筒23の上記縮径部分23a で且つ各凹溝26の45°回動位置に、下端より縮径部分23a 上端に至る４本のスリット21を各々穿設している。
【００１６】
そして、シリンダ２下方より挿入して、上記突条12を乗り越えてその上面に環状基板20の内側端縁の突出部分下面を係合させて下方への抜け出し防止を図るとともに、各縦突条13に各凹溝26を嵌合させている。この際、一対のスリット21間中央位置に吸気孔11が位置し、また、各凹溝26をどの縦突条13に嵌合させても、一対のスリット21間中央位置に吸気孔11が位置する如く構成している。
【００１７】
作動部材４はシリンダ２内に上下動可能に嵌合するピストン27に下端を連携させて上端をシリンダ上方へ突出させ、上方付勢状態で上下動可能に設けたステム28と、該ステム上端に嵌着固定させたノズル29付き押し下げヘッド30とを備えている。この作動部材４の上下動によりシリンダ２内の液をステム28を介してヘッド30のノズル孔より噴出する如く構成している。
【００１８】
本実施例では、シリンダ２内周面に外周縁を嵌合させるとともに、内周縁をステム28の外周下部に所定幅の上下動が可能に嵌合させた環状のピストン27を設け、ステム28の上下動に伴ってこのピストン27がその内側に設けた弁孔31を開閉し、このピストン27と弁孔31により吐出弁32を構成している。また、ステム28とシリンダ２底部との間に介在させたコイルスプリング33によりステム28を常時上方へ付勢させている。
【００１９】
そして、ヘッド30上面を押圧する等して作動部材４を押し下げると、シリンダ２内の液が加圧されてピストン27をステム28と相対的に上昇させるため、吐出弁32が開き、そこからステム28を介してノズル29より液を噴出する。また、ヘッドの押圧を解除すると、コイルスプリング33の弾発力で作動部材４が上昇し、ピストン27により弁孔31が閉じて負圧化したシリンダ２内に容器体内の液が吸い込み弁９を介して導入される如く構成している。また、液がシリンダ２内に吸い上げられて負圧化した容器体５内には吸気孔11を介してスリット間の内筒23を押し開いて外気が導入される。
【００２０】
また、作動部材４を上方付勢力に抗して下方へ押し下げた状態で、上記案内筒18に螺着係止可能に構成している。本実施例では、案内筒18内面に設けた螺条と、ヘッド30の縦筒外周に設けた螺条とを螺合させて、図５に示す如く、押し下げ状態で係止させている。
【００２１】
尚、本発明のポンプは上記実施例のものに限定されず、例えばポンプの内部機構等は従来のこの種ポンプの内部機構であれば採用でき、また、上記シリンダ，装着筒，係止部材を一体に形成したものであっても良い。また、上記各実施例に於いて各部材は主として合成樹脂により形成し、必要に応じて金属，エラストマー等を併用する。
【００２２】
【発明の効果】
以上説明した如く本発明液体噴出ポンプは、シリンダ２外周上部より突設したフランジ８の下面に上面を当接してシリンダ外面に嵌合させるとともに、下面周縁部を口頚部６上面に密接させる環状基板20と、該基板内周縁部より垂設してシリンダ２外面に嵌合するとともに、上記吸気孔11を閉塞し、且つ、吸気孔両側位置に下端より上方へ延びる一対のスリット21を穿設してなる内筒23と、上記基板下面周縁部より垂設して容器体口頚部６内面に密嵌させる外筒24とを備えてなるシール部材３を設けたので、運搬，保管の際に容器が倒れる等して、容器体内の液体がシリンダの吸気孔を介してピストン上方のシリンダ内に侵入し、使用時にヘッドを上方へ押し下げ可能に突出させた際に、ステム外面より上記液体が漏出するという従来容器の不都合を解消できるものである。しかも、環状基板と外筒とにより容器体口頚部部分の液密性も同時に良好に図ることが出来、更に、外筒によりその機能上薄肉に形成される内筒の変形等を防止することも併せて行えるものである。
【００２３】
また、第２の手段では、シール部材の凹溝をシリンダの縦突条に合わせるだけで、確実に吸気孔が内筒の所定位置に於いて閉塞されるため、組み付け作業が極めて容易となる利点を併せ持つ。
【図面の簡単な説明】
【図１】  本発明の一実施例を示す半断面図である。
【図２】  同実施例のシール部材を示す一部切欠き斜視図である。
【図３】  同実施例のシール部材装着部分の要部拡大断面図である。
【図４】  図３のＡ−Ａ線に沿う横断面図である。
【図５】  同実施例の作動部材押し下げ係止状態を示す半断面図である。
【符号の説明】
２…シリンダ，３…シール部材，６…口頚部，７…装着筒，８…フランジ，
11…吸気孔，13…縦突条，20…環状基板，21…スリット，23内筒，
24…外筒，26…凹溝，28…ステム，29…ノズル，30…押し下げヘッド
【図１】
0003670081.tif 000002
【図２】
0003670081.tif 000003
【図３】
0003670081.tif 000004
【図４】
0003670081.tif 000005
【図５】
0003670081.tif 000006